(57)【要約】【課題】テーパーを回転して本体から棒状体を繰り出すようにした機構において、構造が簡単で、かつ経済的に製造できるようにした回転式繰り出し機構を提供する。【解決手段】本体１に、所定のねじピッチで複数の窓５を等間隔に開口する。テーパー２は、本体に回転自在に取り付けられ、本体内に延びるガイドパイプ１２が固定されている。芯６を保持するホルダー１７が本体内に収納され、該ホルダーとガイドパイプは軸方向に移動可能にかつ回転不能に連結されている。ホルダーの外周には、上記窓にねじ係合する雄ねじ２３が形成されている。テーパー２を回転すると、ガイドパイプ１２を介してホルダーは回転しながら軸方向に移動し、芯を本体から出没させることができる。【選択図】図３
2019202497.tif 000002
【特許請求の範囲】
【請求項１】
筒状の壁部に軸方向に沿って所定のねじピッチで複数の窓を開口させた本体と、該本体の開口端に回転自在に装着された回転部材と、該回転部材に固定されたガイドパイプと、棒状体を保持するホルダーを具備し、上記ホルダーは該ガイドパイプに回転不能にかつ軸方向に移動可能に連結され、該ホルダーの外周には上記窓にねじ係合する雄ねじが設けられていることを特徴とする回転式繰り出し機構。
【請求項２】
上記本体の壁部の内面には、軸方向に広がる平面部が対向状態に形成され、上記窓はこの平面部で開口し、本体の内径Ｄ１は雄ねじのねじ山の外径Ｄ３よりも大きく、上記平面部の対向間隔Ｌは、ねじ山の外径Ｄ３よりも狭く形成されている請求項１に記載の回転式繰り出し機構。
【請求項３】
上記回転部材は、本体の前部に設けられたテーパーであり、上記ガイドパイプは軸方向に延びる開口溝を有し、上記ホルダーは雄ねじを形成した筒状部と棒状体を保持する保持パイプを有し、筒状部にはガイドパイプが貫通する貫通孔と上記ガイドパイプの開口溝に摺動可能に係合する係合突起が形成され、保持パイプはガイドパイプ内に挿入されている請求１又は２に記載の上記回転式繰り出し機構。
【請求項４】
上記回転部材は、ガイドパイプの後部に設けられた尾栓であり、該尾栓には内面に開口溝を有するガイドパイプが固定され、ホルダーには棒状体を保持する保持パイプが形成され、該保持パイプには該ガイドパイプの開口溝に係合する係合突起が形成されている請求項１又は２に記載の回転式繰り出し機構。
【請求項５】
上記ホルダーは棒状体を保持する保持パイプを有し、上記テーパーは上記保持パイプの先端が当接する拡開部を有し、上記保持パイプと拡開部には、ホルダーがテーパーに当接したとき、保持パイプの先部を拡開するよう傾斜面が設けられていることを特徴とする請求項１から３のいずれかに記載の回転式繰り出し機構。
【請求項６】
上記保持パイプにはスリットが形成され、内面には棒状体を保持する小突起が形成され、外面には保持パイプの広がりを止めるよう開き止め突起が設けられている請求項５に記載の回転式繰り出し機構。
【発明の詳細な説明】
【技術分野】
【０００１】
本発明は、筆記具や化粧用具に使用され、回転操作により筆記体や化粧部材を本体から出没できるようにした回転式繰り出し機構に関するものである。
【背景技術】
【０００２】
シャープペンシル、ボールペン、色鉛筆、クレヨン等の筆記体、口紅等の化粧部材その他の棒状体を本体から繰り出す機構として、回転操作により繰り出す機構が知られている。簡便な回転式繰り出し機構として、例えば特許文献１に記載の化粧具は、本体内にコイルスプリング形状の螺旋ばねを設け、この螺旋ばねに棒状体を保持するホルダーを引っ掛け、螺旋ばねを回転させることによりホルダーを前後動させて棒状体を出没している。この機構では、螺旋ばねを使用するので、機構が複雑になり、経済的でない。その上、軸方向に延びる長い螺旋ばねの一端側を駆動して螺旋ばね全体を回動させる機構であるから、ばねのピッチにバラツキが発生し易く、棒状体の繰り出しが安定しない原因になることがある。上記棒状体はホルダーに保持されるが、このときの保持力が大きいと、最後まで棒状体を使用して新しい棒状体と交換するとき、ホルダーに残っている棒状体が取り外しにくいことがあり、交換が面倒だった。
【０００３】
また、螺旋ばねを使用しない機構も知られている（例えば特許文献２参照）。特許文献２に記載の機構は、本体の内面に螺旋溝を形成し、この螺旋溝にホルダーの横向き突起を係合させ、ホルダーを本体の後端に取り付けたホルダーガイドで回転してホルダーを移動し、棒状体を繰り出すように構成されている。この構成は、機構が簡素化されるが、本体の内面に螺旋溝を形成するためには、本体をプラスチック成形する際、外周にねじを形成したコアピンを用いたモータードライブ金型により形成しなければならず、コストがかかり、簡単ではない。
【先行技術文献】
【特許文献】
【０００４】
【特許文献１】実開昭６０−６７７２６号公報（第１図）
【特許文献２】実開平１―１３１５８６号公報（実用新案登録請求の範囲、第１図、第２図）
【発明の概要】
【発明が解決しようとする課題】
【０００５】
本発明の解決課題は、筆記体や化粧部材等の棒状体を、回転操作により本体から出没させるようにした回転式繰り出し機構において、従来のような螺旋ばねを用いることなく、かつ本体の内面に螺旋溝を形成することもなく、棒状体を回転操作で出没できるようにした回転式繰り出し機構を提供することである。また、棒状体を交換するときの操作が容易にできるようにした上記回転式繰り出し機構を提供することである。
【課題を解決するための手段】
【０００６】
本発明によれば、筒状の壁部に軸方向に沿って所定のねじピッチで複数の窓を開口させた本体と、該本体の開口端に回転自在に装着された回転部材と、該回転部材に固定されたガイドパイプと、棒状体を保持するホルダーを具備し、上記ホルダーは該ガイドパイプに回転不能にかつ軸方向に移動可能に連結され、該ホルダーの外周には上記窓にねじ係合する雄ねじが設けられていることを特徴とする回転式繰り出し機構が提供され、上記課題が解決される。
【０００７】
また、本発明によれば、上記窓が開口する本体の壁部の内面には軸方向に広がる平面部が対向状態に形成され、上記回転部材は本体の前部に設けられたテーパーであり、上記ガイドパイプは軸方向に延びる開口溝を有し、上記ホルダーはガイドパイプが貫通する貫通孔と上記ガイドパイプの開口溝に摺動可能に係合する係合突起を有する上記回転式繰り出し機構が提供される。さらに、本発明によれば、ホルダーは棒状体を保持する保持パイプを有し、上記テーパーは上記保持パイプの先端が当接する拡開部を有し、上記保持パイプと拡開部には、ホルダーがテーパーに当接したとき、保持パイプの先部を拡開するよう傾斜面が設けられていることを特徴とする上記回転式繰り出し機構が提供される。
【発明の効果】
【０００８】
本発明は上記のように構成され、筒状の本体の壁部に、軸方向に沿って所定のねじピッチで複数の窓を開口し、該本体内に収納されるホルダーの外周に上記窓にねじ係合する雄ねじを設けてある。そして、上記本体の開口端に回転自在に回転部材を装着し、該回転部材にガイドパイプを固定し、上記ホルダーをガイドパイプに回転不能にかつ軸方向に移動可能に連結してある。したがって、回転部材を回転すると、ホルダーは回転しながら軸方向に移動し、該ホルダーに保持した棒状体を回転体から出没させることができる。また、ホルダーに、棒状体を保持する保持パイプを設け、上記テーパーに、上記保持パイプの先端が当接する拡開部を設け、上記保持パイプと拡開部に、ホルダーがテーパーに当接したとき、保持パイプの先部を拡開するよう傾斜面を設けると、最後まで棒状体を使用したとき、ホルダーの保持パイプは先端が拡開して棒状体の保持を開放するので、残った棒状体を容易に外して新しい棒状体と交換することができる。
【０００９】
上記本体の窓やホルダーの雄ねじは、本体の外面側から窓を開口したり、ホルダーの外周に雄ねじを形成する構成であるので、通常のプラスチック成形に使用する金型を用いて簡単に成形でき、経済的である。また、上記窓が開口する本体の壁部の内面には、軸方向に広がる平面部を対向状態に形成してあるので、窓の開口縁は本体の壁部の内側面よりも本体の中心側に位置することになり、ホルダーの外周に設けた雄ねじのねじ山が確実に窓の開口縁にねじ係合し、ガイドパイプを回転することによりホルダーを的確に軸方向に移動させることができる。
【図面の簡単な説明】
【００１０】
【図１】本発明の一実施例を示し、一部を省略した正面図。
【図２】一部を省略した側面図。
【図３】一部を省略した図１の断面図。
【図４】一部を省略した図２の断面図。
【図５】一部を省略した本体の側面図。
【図６】一部を省略した本体の断面図。
【図７】窓に沿った本体の拡大断面図。
【図８】テーパーの正面図。
【図９】テーパーの断面図。
【図１０】一部を省略したガイドパイプの正面図。
【図１１】一部を省略しガイドパイプの断面図。
【図１２】ガイドパイプの端面図。
【図１３】ホルダーの斜視図。
【図１４】ホルダーの断面図。
【図１５】本体とホルダーとガイドパイプの関係を示す説明図。
【図１６】本体の窓とホルダーとガイドパイプの関係を示す説明図。
【図１７】本体の平面部とホルダーの関係を示す説明図。
【図１８】他の実施例を示す一部を省略した断面図。
【図１９】図１８に示す実施例で、消しゴムを繰り出した状態を示す説明図。
【図２０】他の実施例のテーパーを示す断面図。
【図２１】他の実施例のホルダーを示す断面図。
【図２２】他の実施例において、棒状体を繰り出す際の説明図。
【図２３】図２２に示す実施例において、ホルダーがテーパーに当接した状態を示す説明図。
【発明を実施するための形態】
【００１１】
本発明は、筆記体としてシャープペンシル、ボールペン、液体マーカーその他適宜の棒状体の繰り出しに適用でき、化粧部材としては口紅、アイライナーその他の棒状体の繰り出しに適用することができる。図１は、筆記体として、鉛筆の芯を回転式に繰り出すようにした本発明の一実施例を示している。図１、図２において、本体１は、前方の開口端にテーパー２を有し、後部の開口端からは尾栓３が現れている。上記本体１は、断面円形の筒状体に形成され、図６、図７に示すように、壁部の内面には軸方向に沿って平面部４が対向状態に形成されている。この平面部４で開口するように壁部には、平行四辺形の窓５が貫通している。この窓５は、軸方向に沿って所定のねじピッチで配列されるように傾斜し、複数、等間隔に開口している。
【００１２】
上記本体１の前部に設けられるテーパー２は、回転部材となるよう本体１に対して回転自在に連結されている。該テーパー２は、芯(棒状体)６が挿通する貫通孔７を有し、後方の筒状部８は、本体１の前部に挿入される外径に形成され、かつ本体１の内面に形成した係止部９に回転自在に係合するよう係止部１０が外周面に形成されている。この係止部９、１０の係合を容易にするよう筒状部８には、スリット１１が設けられている。また、テーパー２の内部には、ガイドパイプ１２の開口溝１３が係合するよう軸方向に延びる隆起部１４と、ガイドパイプ１２の先端が当接するリブ１５が設けられている。
【００１３】
上記ガイドパイプ１２は、図１０〜図１２に示すように、本体１内に挿入される外径を有する筒状体であり、一側に軸方向に沿って開口する上記開口溝１３が形成され、断面略Ｃ字状に形成されている。上述のように、ガイドパイプ１２は、開口溝１３をテーパー２の隆起部１４に係合させることによりテーパー２に固定され、該テーパー２を回転すると、ガイドパイプ１２も一緒に回転する。後部には、尾栓３を嵌着させるための凸部１６が設けられている。なお、ガイドパイプ側に突起を設け、テーパー側に該突起が係合する受孔を設けて、テーパーとガイドパイプを連結したり、一体的に形成してもよい（図示略）。
【００１４】
上記ガイドパイプ１２は、ホルダー１７に貫通している。該ホルダー１７は、図１３、図１４に示すように、ガイドパイプ１２内に挿入されかつ芯６を保持する保持パイプ１８を前部に有し、保持パイプ１８の内面には芯６の脱落を防止する小突起１９が形成されている。保持パイプ１８の後部は、ガイドパイプ１２よりも大径の筒状部２０に形成され、該筒状部２０には、ガイドパイプ１２が貫通する貫通孔２１と、ガイドパイプ１２の開口溝１３に摺動可能に係合する係合突起２２が形成されている。そして、上記筒状部２０の外周には、上記本体１の窓５にねじ係合する雄ねじ２３が形成されている。該雄ねじ２３は筒状部２０の外周を、ほぼ一周する範囲にわたって形成されている。
【００１５】
上記本体１の内径Ｄ１と、ホルダー１７の筒状部２０の外径Ｄ２と、ねじ山の外径Ｄ３と、平面部４の対向間隔Ｌの関係は、図１５〜図１７に示すように本体１の内径Ｄ１は、ねじ山の外径Ｄ３よりもわずかに大きい。平面部４の対向間隔Ｌは、ねじ山の外径Ｄ３よりも狭い。したがって、雄ねじ２３は、本体１の窓５に対面すると、図１６、図１７に示すように、窓５の開口縁に引っかかり、ガイドパイプ１２を介してホルダー１７が回転すると、ねじ作用により、ホルダー１７は本体１の軸方向に移動する。
【００１６】
上記構成により、ホルダー１７はガイドパイプ１２に回転不能にかつ軸方向に移動可能に連結されるから、テーパー２を回転すると、ガイドパイプ１２を介してホルダー１７が回転し、ホルダー１７は本体１の軸方向に移動して芯６をテーパー２の先端から突出させ、逆方向に回転することにより、テーパー２の先部から本体内に芯を没入させることができる。この実施例では、ガイドパイプ１２の後端に嵌着した尾栓３もガイドパイプ１２とともに回転するから、テーパー２に代えて尾栓３を回転部材として芯を出没させることもできる。
【００１７】
上記繰り出し機構は、本体の一側から棒状体を出没させているが、両端から出没できるよう本体内に対向状態に設けることもできる。また、棒状体として、芯６の他に消しゴムを有する筆記具の繰り出し機構に本発明を適用することもできる。そのような実施例が、図１８、図１９に記載されている。この実施例においても、本体１の壁部には、所定のねじピッチで、等間隔に平行四辺形に開口する複数の窓５と、窓５の内方に位置する平面部４が形成されているが、上述の実施例とほぼ同様であるので、図示は省略してある。回転部材として、本体１の後部の開口端には尾栓２４が回転自在に取り付けられ、この尾栓２４の前方には、ガイドパイプ２５が一体的に形成されている。このガイドパイプ２５の内面には、軸方向に延びる開口溝２６が形成されている。消しゴム２７は、尾栓２４に形成した開口から挿入され、先端に形成した小径部２８がホルダー２９の保持パイプ３０に保持される。この保持パイプ３０の内面には、好ましくは、消しゴム２７の脱落を防止する小突起が設けられている。該保持パイプ３０の外面には、上記開口溝２６に摺動可能に係合する係合突起３２が形成され、該保持パイプ３０よりも大径の筒状部３３の外周には、上記窓５にねじ係合する雄ねじ３４が形成されている。
【００１８】
上記本体１の内径、ホルダー２９の筒状部３３の外径、ねじ山の外径、及び平面部４の対向間隔の関係は、上記実施例と同様である。この構成により、ホルダー２９は、ガイドパイプ２５の軸方向に移動可能にかつ回転不能にガイドパイプに連結される。雄ねじ３４は、窓５の開口縁にねじ係合しているから、尾栓２４を回転すると、ガイドパイプ２５を介してホルダー２９は回転し、軸方向に移動する。それにより、消しゴム２７は、尾栓２４から後方に突出したり、尾栓２４内に没入する。
【００１９】
上記実施例において、棒状体６はホルダー１７の保持パイプ１８で保持され、図１４に示すように、保持パイプ１８の最深部に設けた小突起１９で圧着され、抜け止めされている。そして、新しい棒状体を交換するときは、棒状体が、鉛筆芯のような硬質の素材の場合は、保持パイプから引き抜けば残りの棒状体を簡単に取り外すことができる。棒状体が軟質材料で構成されていると、無理に引き出すと、保持パイプ内に棒状体の一部が残ってしまうおそれがある。そのような事態を生じないようにするには、下記する実施例のように構成すればよい。先ず、テーパー２内には、ホルダー１７が最も前進したとき、保持パイプ１８の先端が当接するよう拡開部３５が設けられている。上記保持パイプ１８には、図２１に示すように、先部を半径方向に広げることができるようスリット３６を設け、このスリットに対応して内面側に棒状体６を保持する小突起３７を形成するとともに保持パイプ１８の外面には、ガイドパイプ１２の内面に当たって、保持パイプ１８の広がりを止めるよう開き止め突起３８が形成されている。なお、この開き止め突起３８は、ホルダー１７が最先端まで前進した際、上記ガイドパイプの先端から脱出する位置に設けられている。そして、上記保持パイプ１８の先端内面及び拡開部３５の外面には、ホルダー１７がテーパー２に当たったとき保持パイプ１８を拡開できるよう傾斜面３９、４０が設けられている。
【００２０】
上記の構成により、通常は、棒状体６は保持パイプ１８の小突起３７に保持されて抜け止めされ、図２２に示すように、上記実施例とほぼ同様に使用することができる。そして、最先端までホルダー１７が前進すると、図２３に示すように、ホルダー１７の保持パイプ１８の先端は、テーパー２の拡開部３５に当接し、傾斜面３９、４０の作用で保持パイプ１８の先端は押し広げられ、小突起３７は棒状体６の外周から離れるから、棒状体の保持が解放される。このとき、開き止め突起３８は、ガイドパイプ１２から抜け出しているので、保持パイプの拡開を妨げるおそれはない。このようにして、棒状体は、外周が保持パイプに圧着されなくなるので、残りの棒状体を簡単に引き出して、新しい棒状体と交換することができる。
【００２１】
上記各実施例では、ガイドパイプに開口溝を設け、ホルダーに係合突起を設けてあるが、ガイドパイプ側に係合突起を設け、ホルダー側に開口溝を設けたり、芯その他の筆記体に代えて、種々の棒状体を本体により、回転式に繰り出すことができる。
【符号の説明】
【００２２】
１    本体
２    テーパー
３、２４  尾栓
４    平面部
５    窓
６    芯
１２、２５  ガイドパイプ
１３、２６  開口溝
１７、２９  ホルダー
２３、３４    雄ねじ
【図１】
2019202497.tif 000003
【図２】
2019202497.tif 000004
【図３】
2019202497.tif 000005
【図４】
2019202497.tif 000006
【図５】
2019202497.tif 000007
【図６】
2019202497.tif 000008
【図７】
2019202497.tif 000009
【図８】
2019202497.tif 000010
【図９】
2019202497.tif 000011
【図１０】
2019202497.tif 000012
【図１１】
2019202497.tif 000013
【図１２】
2019202497.tif 000014
【図１３】
2019202497.tif 000015
【図１４】
2019202497.tif 000016
【図１５】
2019202497.tif 000017
【図１６】
2019202497.tif 000018
【図１７】
2019202497.tif 000019
【図１８】
2019202497.tif 000020
【図１９】
2019202497.tif 000021
【図２０】
2019202497.tif 000022
【図２１】
2019202497.tif 000023
【図２２】
2019202497.tif 000024
【図２３】
2019202497.tif 000025